Podtech/llm-jp-corpus-v4-ja_patent huggingface dataset:
(57)【要約】      （修正有）【課題】任意の素材上に真田家の家紋である六文銭を構成する位置にコインを並べて配置することで美術品としての価値と視覚効果を持たせるレリーフを提供する。【解決手段】日本又は中国で貨幣又は古銭として流通した経緯を持つコインを、金、銀、プラチナ、銅、鉄、真鍮、紙、プラスチック、合成樹脂、ビニール、糸、布、木、金属、石、ゴム、ガラス、土、陶器又はコンクリートのいずれかからなる素材上に６枚並べて六文銭を形成する。コインは、寛永通寳又は永楽通寳を模した金、銀、プラチナ、銅、鉄、真鍮、紙、プラスチック、合成樹脂、ビニール、糸、布、木、金属、石、ゴム、ガラス、土、陶器、コンクリートのいずれかの材料で作られたイミテーションコイン、玩具コイン、又はシールでもよい。【選択図】図１
0003211407.tif 000002
【実用新案登録請求の範囲】
【請求項１】
日本・中国で貨幣・古銭として流通した経緯を持つコインを、金・銀・プラチナ・銅・鉄・真鍮・紙・プラスチック・合成樹脂・ビニール・刺繍・糸・布・木・金属・石・ゴム・ガラス・土・陶器・コンクリート等、任意の素材上に配置する状態を特徴としてコインを６枚並べて六文銭を形成したレリーフ。
【請求項２】
前記で使用するコインは寛永通寳・永楽通寳とし、これらを模した金・銀・プラチナ・銅・鉄・真鍮・紙・プラスチック・合成樹脂・ビニール・刺繍・糸・布・木・金属・石・ゴム・ガラス・土・陶器・コンクリート等、任意の材料で作られたイミテーションコイン、玩具コイン、シール等も含まれる請求項１記載のレリーフ。
【請求項３】
前記にはコンピューターグラフィックデータ・映像データ・画像データを使用して製作する寛永通宝・永楽通宝で六文銭を形成する場合にも含まれる請求項１又は２記載のレリーフ。
【考案の詳細な説明】
【技術分野】
【０００１】      本考案は寛永通宝等のコインを利用して六文銭家紋を作ることで通貨としての役割を終えた古銭に新たな利用価値を与え同時に古銭で形成された六文銭家紋を見る人に視覚効果を与えるものである。
【背景技術】
【０００２】従来、六文銭家紋は円形と四角形を組合わせた線のみ又は構造物の組み合わせで表現されるのみであった。
【先行技術文献】
【非特許文献】
【０００３】
【非特許文献１】沖のりこ著、「オリジナル家紋開運ＢＯＯＫ！」、マガジンハウス、２０１０年６月２４日、Ｐ２４
【考案の概要】
【考案が解決しようとする課題】
【０００４】      本考案は、上記欠点を解消し、コインに美術品としての新たな価値を付加するものである。
【課題を解決するための手段】
【０００５】      上記目的を達成するためにコインにパッケージを施しデザインされた素材上に配置することで鑑賞に値する古銭を使って作った六文銭家紋を提案するものである。
【考案の効果】
【０００６】    本考案によれば飾り物としてだけでなくカバンや財布・定期入れに入れて日常的に持ち歩くことが可能となる。何百年も前の当時、世の中に流通していた貨幣が遥かな時代を超え現代の世の中で人の心を魅了する美術品となりえる。【０００７】    また、本考案によってコインの価値が再評価された場合には投機の対象となり相場に影響を与える可能性を秘めている。理由として現存するコインの数量が限られているからである。
【図面の簡単な説明】
【０００８】
【図１】本考案に係わるコインを使って作った六文銭の形状の一例を示す正面図である。
【考案を実施するための形態】
【０００９】    任意のスペースにコインを真田家の家紋である六文銭を構成する位置に配置する。図１に示すようにこの実施例では長方形の紙１０に古銭１２寛永通宝を並べた。古銭は接着剤を使って貼り付けてもよい。但し、素材は紙に限定しない。例えば金・銀・プラチナ・銅・鉄・真鍮・紙・プラスチック・合成樹脂・ビニール・刺繍・糸・布・木・金属・石・ゴム・ガラス・土・陶器・コンクリート等、任意の素材でもよい。また古銭は寛永通宝・永楽通宝でなくてもよい。これらを模した金・銀・プラチナ・銅・鉄・真鍮・紙・プラスチック・合成樹脂・ビニール・刺繍・糸・布・木・金属・石・ゴム・ガラス・土・陶器・コンクリート等、任意の材料で作られたイミテーションコイン、玩具コイン、シール等も含まれる。さらに、コンピューターグラフィックデータ・映像データ・画像データを使用して製作する寛永通宝・永楽通宝で六文銭を形成する場合にも含まれる。
【符号の説明】
【００１０】１０    素材
１２    古銭
【図１】
0003211407.tif 000003
【手続補正書】
【提出日】平成29年4月24日(2017.4.24)
【手続補正１】
【補正対象書類名】実用新案登録請求の範囲
【補正対象項目名】全文
【補正方法】変更
【補正の内容】
【実用新案登録請求の範囲】
【請求項１】
日本又は中国で貨幣又は古銭として流通した経緯を持つコインを、金、銀、プラチナ、銅、鉄、真鍮、紙、プラスチック、合成樹脂、ビニール、糸、布、木、金属、石、ゴム、ガラス、土、陶器又はコンクリートのいずれかからなる素材上に６枚並べて六文銭を形成することを特徴とするレリーフ。
【請求項２】
前記コインは、寛永通寳又は永楽通寳を模した金、銀、プラチナ、銅、鉄、真鍮、紙、プラスチック、合成樹脂、ビニール、糸、布、木、金属、石、ゴム、ガラス、土、陶器、コンクリートのいずれかの材料で作られたイミテーションコイン、玩具コイン、又はシールであることを特徴とする請求項１記載のレリーフ。
【請求項３】
前記コインはコンピューターグラフィックデータ、映像データ又は画像データを使用して製作されることを特徴とする請求項２記載のレリーフ。
(57)【要約】      （修正有）【課題】桶の側面と底辺の角に残る寿し飯を余す事なく、同時に掻き取ることを容易とする、角付け返し万能杓文字を提供する。【解決の手段】本体、杓文字の底辺の一方の角２を直角型を以て施し、他方の角３を円型を以て施す、更に底辺４を平らを以て施することを特徴とする。【選択図】図１
0003211419.tif 000002
【実用新案登録請求の範囲】
【請求項１】
（イ）本体、杓文字の底辺の一方の角２を直角型を以て施す。
（ロ）本体、杓文字の底辺の他方の角３を円型を以て施す。
（ハ）本体、杓文字の底辺４を平らを以て施す。
以上の如く構成された、角付け返し万能杓文字。
【考案の詳細な説明】
【考案の詳細な説明】
【技術分野】
【０００１】この考案は、しゃもじ（杓文字）の底辺の一方の角を直角型により施し、他方の角を円型に、更に底辺を平らに施した調理用器具、杓文字に関するものである。
【背景技術】
【０００２】従来、後述する什器の役割りを大別すると、１に、寿し桶、飯櫃他、重箱等、什器の側面と底部との角が角型に施されたものと、２には、鍋や釜等の如く、什器の側面と底部との角が円型を以て施されたもの、とに分類されるが、これ等はかつてより什器の種別用途を問わず、２に示す杓文字の両端を円型とする一枚の調理用具（杓文字）によって一連の所作が多角的に行われて来た。（但し、かつてより両端を共に鋭角とする、返しヘラの有り、また、一方の角が緩やかな角を成すしゃもじ等も散見される）
故に、此許提案する寿し飯を作ろうとする際、１に提示する桶・鮨桶、或いは重箱等什器の角が角型に施されたものに際し、２に示した杓文字では什器の底部が円型を成す為、お酢と飯の混ぜ合わせに伴う掻き混ぜ、返し、掻き取り、などの諸作業に於いて自ずと寿し飯は杓文字の両角が円型を成すが為に、什器の角即ち底部に酢飯が残る事と相成り、此れらは他の方法に依って処理せねばならず、二度手間となって些か不便を来していた。
【考案が解決しようとする課題】
【０００３】本案は、その欠点を除く為、杓文字の一方の側面と底辺との角を直角型を以て施し、他方を円型に、且つ底辺を平らに施すことにより、桶の側面と底辺の角に残る寿し飯を余す事なく、同時に掻き取ることを容易とする。併せて他方の角を円型に施し、杓文字の両角に併設することにより鍋釜等の如くも、両角の異なる杓文字を臨機に使い分けることに依って、当該双方の什器への対応を、瞬時に可能なるものとする「角付け返し万能杓文字」を開発しようとするものである。
【課題を解決するための手段】
【０００４】今、その解決手段を図面に追いながら説明すれば、
（イ）本案、杓文字の底辺の一方の角２を直角型を以て施し、
（ロ）本案、杓文字の底辺の他方の角３を円型を以て施す、更に、
（ハ）本案、杓文字の底辺４を平らを以て施す。
【考案を実施するための形態】
【０００５】本案は、以上のような単純な構造であるが、これを使用する際には、
（イ）什器が寿し桶、飯櫃ほか重箱等、底部が角型を成すものに対応する場合は、先ず、本案の柄の部分１を右又は左の交き腕の手のひらに取り、本案が特徴のとする杓文字の底辺の角２、及び底辺４との交あう角を、寿し桶の角に密着させ掻き寄せ払うことで、酢飯を余す事なく同時に掻き取ることができる。併せて、他方の角３を用いてお酢と飯の撹拌に伴う混ぜ併せ、切り混ぜ返しなどを行う。
（ロ）什器が鍋・釜等、底部が円型を成すものに際しては、杓文字の底辺３の円型に施した面を用い、同様に炊飯その他の煮付け炒めに伴う混ぜ合わせ、切り混ぜ返し、掬う等などを行う。
また、フライパンなど底部が平らに施されたものに際しても、杓文字の底辺４の平らな部分を用い掻き混ぜ、或いは返しを必要に応じて行う事で、例えば、卵焼き等の焦げ付きを防ぐことができる。
（ハ）依って、（イ）（ロ）それぞれ什器の底部が如何様に異なろうとも、杓文字の両面を左右随時に使い分けることに依って、什器双方の対応を可能とする。
【考案の効果】
【０００６】したがって、本案の使用により寿し桶、飯櫃、或いは鍋釜フライパン等什器側面と底部の角との同時の掻き取り、或いは切り混ぜ、且つ鍋底の返しをも容易とすることで、言わば両角の異なる特色を持つ一枚の杓文字により杓文字が持つ機能の全てを備える、が故に万能と称する所以である。
依って、使い勝手が良いばかりでなく、時間の浪費を省き、効率を高める等の利便性にも富み、従来の不便さを改善、且つ合理的にこれを是正解決する興味ある調理器具を開発しようとするものである。
更には効用として、本考案はお寿司を提供する寿し店を始め、飯櫃を以て「おもてなし」する旅館業等に於けるサービスと、後々の始末に於いても時間の効率を高め重宝この上も無く、如何ばかりか需要も期待できる。
【図面の簡単な説明】
【０００７】
【図１】本考案の正面図、及び側面図
【図２】本考案の平面図、及び底面図
【図３】本考案の斜視図
【符号の説明】１は、杓文字の柄（表・裏同じ）
２は、杓文字の一方の角（直角型）
３は  杓文字の他方の角（円  型）
４は、杓文字の底辺    （平  ら）
５は、杓文字の面（表・裏同じ）
【図１】
0003211419.tif 000003
【図２】
0003211419.tif 000004
【図３】
0003211419.tif 000005
(57)【要約】      （修正有）【課題】日本酒を温めて燗する際、温度計を使用せず、手軽に日本酒の温度を測定することを可能にするとっくりを提供する。【解決手段】とっくり１の標準的な内容量を記す目印２ａと、それに対して、０．５％から３％程度増量した量を、示す目印２ｂ〜２ｃを１個所以上、複数個所設けることにより、目印２ａを目安にとっくり１に入れた日本酒を温めた際、日本酒が膨張して量が増え、所定の目印まで液面が上昇することで、大まかな日本酒の温度を知ることが出来る。【選択図】図１
0003211471.tif 000002
【実用新案登録請求の範囲】
【請求項１】
とっくりの内側もしくは、外側に線もしくは、点もしくは、丸などの目印を、２個所以上設けることで、初期の日本酒の体積と、温度が上昇して、膨張した際の体積の差を、目視によって確認しやすくし、その体積差から日本酒の温度を測定できるようにすることを特徴とするとっくり。
【考案の詳細な説明】
【技術分野】
【０００１】
本考案は、目視による酒温の確認が容易なとっくり、または酒容器に関するものである。
【背景技術】
【０００２】
日本酒を温めて、燗をする際に、とっくりもしくは片口は、９０ｍｌから３６０ｍｌ、通常１８０ｍｌの日本酒が入り、おおむね容器の下半分が大きく、上に向かってすぼみ、首が細い形状になっていることで、お酒を入れた時に、内容量が多くても、少なくても安定して立って倒れづらいため、実用上十分であった。
【０００３】
しかし、容器内の日本酒の温度を知りたい時には、とっくりもしくは片口の口から温度計を差し入れて測定するか、容器を触って容器の温度から推測するしか方法がなかった。
【０００４】
日本酒の燗は、通常４０℃弱から７０℃くらいまで温度幅があり、それぞれの温度で味わいが違う。日本酒の種類によっても、最適な味の温度は違っている。そこで日本酒を温めて飲もうとする時に、温度の測定を行うのは重要である。
【０００５】
日本酒を温めて燗して飲む際、とっくりや片口などの容器の中の日本酒の温度を測定するには、その都度温度計を差し入れるか、容器を手に取って触感から判断する容器の温度を通じて、中の日本酒の温度を知るため、手間と時間がかかる上、温度計など、日本酒を入れる容器以外に測定器が必要であった。
【考案の概要】
【考案が解決しようとする課題】
【０００６】
解決しようとする問題点は、とっくりや片口などの日本酒を温める容器において、中の日本酒の温度の測定に手間がかかることである。
【課題を解決するための手段】
【０００７】
本考案は、目視により日本酒の温度の測定を可能とするため、とっくりの首の部分に、液面の高さの目印をつけることを、最も主要な特徴とする。
【考案の効果】
【０００８】
本考案のとっくりは、温度の上がる前の日本酒の量を示す液面の目印と、温度の上がる前の日本酒量に対して０．５％から３％程度増えた量の液面の目印をとっくりの首の部分に設けることにより、初期の日本酒の量に対する、膨張した日本酒の量の割合から、温まった日本酒の温度を計ることができるという利点がある。
【図面の簡単な説明】
【０００９】
【図１】図１はとっくりの実施方法を示した説明図である。（実施例１）
【図２】図２はとっくりの実施方法を示した説明図である。（実施例２）
【考案を実施するための形態】
【００１０】
温度計等を使用せず、手軽に容器内の日本酒の温度を測定するという目的を、とっくりの首部、細くなっていて体積変化に対する液面の上昇下降が敏感な部位に、液面の目印を刻印もしくは、印刷することによって達成した。
【実施例１】
【００１１】
図１は、本考案の１実施例の断面図であって、１はとっくり本体、２ａはとっくりに日本酒を入れた際の基準量の液面を示す線、２ｂはぬる燗になった際の日本酒の量の液面を示す線、２ｃは日本酒が熱燗になった際の量の液面を示す線である。
【００１２】
２ａの線のところまで、日本酒をとっくり１に注ぎ入れ、とっくりを湯煎して温めると、やがて日本酒が熱膨張して液面が上昇する。２ｂの線のところまで日本酒の液面が上昇するまで温めると、日本酒は４０℃程度のぬる燗になっており、２ｃのところまで日本酒の液面が上昇するまで温めると、日本酒は５５℃程度の熱燗になる。
【００１３】
【表１】
0003211471.tif 000003
【００１４】
上記の表に示したように、１８０ｍｌ・２５℃の水は、４０℃において約０．７ｍｌ体積が増加する。また１８０ｍｌ・１０℃の水は、６０℃において約２．６ｍｌ体積が増加する。
【００１５】
日本酒の成分は、約８０〜８５％が水で、約１５〜２０％がエチルアルコールであるため、日本酒の熱による体積膨張は、水の膨張が支配的である。そのことから、常温（２５℃）で保管していた日本酒１８０ｍｌを約４０℃まで温めようとした時には、体積が約０．７ｍｌ増えるまで温めればよい。また１０℃の冷蔵庫で保管していた日本酒１８０ｍｌを約６０℃まで温めようとした時には、体積が約２．５９ｍｌ増えるまで温めればよい。
【実施例２】
【００１６】
図２の実施例は、本考案の１実施例の断面図であって、１はとっくり本体、３ａはとっくりに日本酒を入れた際の基準量を示す目印、３ｂはぬる燗になった際の日本酒の量を示す目印、３ｃは日本酒が熱燗になった際の基準量を示す目印、３ｄは日本酒が熱々燗になった際の基準量を示す目印である。
【００１７】
３ａの目印のところまで、日本酒をとっくり１に注ぎ入れ、とっくりを湯煎して温めると、やがて日本酒が熱膨張して液面が上昇する。３ｂの目印のところまで日本酒の液面が上昇したまで温めると、日本酒は４０℃程度のぬる燗になっており、３ｃのところまで日本酒の液面が上昇するまで温めると、日本酒は５５℃程度の熱燗になっており、３ｄのところまで日本酒の液面が上昇するまで温めると、日本酒は６５℃程度の熱々燗になっている。
【産業上の利用可能性】
【００１８】
家庭や居酒屋などの料飲店において、おいしい日本酒の燗酒を、手軽に楽しむことが出来る。
【符号の説明】
【００１９】
１    とっくり
２ａ  線１
２ｂ  線２
２ｃ  線３
３ａ  目印１
３ｂ  目印２
３ｃ  目印３
３ｄ  目印４
【図１】
0003211471.tif 000004
【図２】
0003211471.tif 000005
(57)【要約】      （修正有）【課題】点眼器用フラスコと目との間の安全距離を確保することによって、点眼中の外傷のリスクを減少させ、局所の薬剤送達のための快適且つ適切な開眼を提供し、患者のまばたきを防ぐことができる点眼用デバイスを提供する。【解決手段】点眼用デバイスは、２つの固定されたサイドブランチ２を中央部分に有する台形の環１として設計された薬用フラスコ５を備えた容器から構成され、サイドブランチの下端３には、デバイスを閉じた眼瞼上に置いたときに滑らないように固定するボルスタが設けられ、上端４はフラスコを押して薬剤を滴下するための縫い目のある表面を有している。【選択図】図１
0003211479.tif 000002
【実用新案登録請求の範囲】
【請求項１】
薬用フラスコを備えた容器から構成される点眼用デバイスであって、該薬用フラスコが、２つの固定されたサイドブランチを中央部分に有する予め取り付けられた台形の環を備えることを特徴とし、サイドブランチの下端にはボルスタが設けられ、 上端は縫い目のある表面を有している、点眼用デバイス。
【考案の詳細な説明】
【技術分野】
【０００１】
本実用新案は、医療、獣医学、および特に、眼科学に関する。 本実用新案は、点眼器用フラスコと目との間の安全距離を確保することの他に、眼瞼を開けることに、および点眼中に目がまばたきすることを防ぐことに有用である。
【背景技術】
【０００２】
＜技術水準＞
フラスコおよびピペットから成る点眼用デバイスがこれまでに提案されてきた（ｈｔｔｐ：／／ｙａ−ｖｉｊｕ．ｒｕ／ｚａｋａｐｙｖａｎｉｅ−ｋａｐｅｌ−ｖ−ｇｌａｚａ）。技術的な失敗は、眼外傷および薬剤の滴りの可能性が原因であり、これは使用するには不快である。
【０００３】
点眼用デバイスは、すべてが外部表面に沿って外側に曲げられた３ｍｍの突起リブを有する下部を備えた、両目の間隔の形状（ｅｙｅ ｇａｐ ｓｈａｐｅ）、その周囲に沿って長さ２−３ｃｍ、幅１．５−２ｃｍ、高さ１ｃｍで、ラテックス材料から設計されることが提案されてきた。技術的な失敗の原因：独立型デバイスの使用法の複雑性、眼汚染による炎症のリスクがある強膜上の位置付け。
【０００４】
前面に投薬ボタンを有する医療用の点眼器用フラスコを内部に備える容器から成る、プロトタイプの医療用の点眼用デバイスが提案されてきた。容器は、円筒状の取外し可能な下部および外側に曲げられた突起リブを備えた両目の間隔の形状の上部から成る；容器は、その背面上に３つの目盛りを有する：第１の目盛りは曜日を示し、残りの目盛りは点眼の順序を示す。
【０００５】
技術的な失敗の原因：
−  目が開いたときにしかデバイスを使用できないこと；
−  デバイスの開いた目との接触による外傷の可能性；
−  複雑な設計；
−  点眼を視覚的に制御できないこと。
【考案の概要】
【０００６】
本実用新案は、医療、獣医学、および特に、眼科学に関する。 本実用新案は、点眼器用フラスコと目との間の安全距離を確保することの他に、眼瞼を開けることに、および点眼中に目がまばたきすることを防ぐことに有用である。点眼用デバイスは、２つの固定されたサイドブランチを中央部分に有する台形の環として設計された薬用フラスコを備えた容器から構成され、サイドブランチの下端には、デバイスを閉じた眼瞼上に置いたときに滑らないように固定するボルスタが設けられ、上端は縫い目のある表面を有している。請求される本実用新案は、閉じた眼瞼上へのサイドブランチの下端の位置付けにより、目に対する安全距離を確保することを可能にし、これによって、点眼中の外傷のリスクを減少させ、局所の薬剤送達のための快適且つ適切な開眼を提供し、患者のまばたきを防ぐことができる。
【図面の簡単な説明】
【０００７】
本実用新案の特徴は、図によって説明することができる。
【０００８】
【図１】図１は、請求されるデバイスを示し、該デバイスは、薬剤を有する点眼器用フラスコ（５）、２つのサイドブランチ（２）を備えた台形の環（１）、ボルスタを備えたブランチの下端（３）、および縫い目のある表面を備えたブランチの上端（４）から成る。  本デバイスは以下のように使用される： 患者は、最初に点眼器用フラスコ（５）を台形の環（１）に挿入し、その後、ブランチ（２）を環上に固定する； その後、患者は、頭を後ろにそらせて、ボルスタを備えたブランチの下端（３）を下眼瞼上に置き、それによって、点眼器用フラスコ（５）と目との間の安全距離を確保する； その後、患者は、ブランチの上端（４）を押すことによって目を開き、その後、まばたきをすることなく、および薬剤を滴り落とすことなく、点眼を行うことができる。
【考案を実施するための形態】
【０００９】
請求されるモデルを有する共通の特徴：薬用フラスコを備えた容器。
【００１０】
＜本実用新案の開示＞
技術的問題は、局所の薬剤送達を目に提供することによって有用性を向上させるように意図されたデバイスを開発することにある。
【００１１】
技術的な結果として、特に小児および高齢者の被験体において、点眼中に外傷のリスクを減少させる及びまばたきを防ぐことによって使用の安全性を向上させ、点眼を視覚的に制御する。
【００１２】
請求される点眼用医療デバイスが、２つの固定されたサイドブランチを中央部分に有する台形の環として設計された薬用フラスコを備えた容器から構成され；サイドブランチの下端にはボルスタが設けられ、上端が縫い目のある表面を有しているため、技術的な結果が達成される。
【００１３】
本実用新案の特徴は、図によって説明することができる。
【００１４】
請求されるデバイスは、薬剤を有する点眼器用フラスコ（５）、２つのサイドブランチ（２）を備えた台形の環（１）、ボルスタを備えたブランチの下端（３）、および縫い目のある表面を備えたブランチの上端（４）から構成される。
【００１５】
本デバイスは以下のように使用される：患者は、最初に点眼器用フラスコ（５）を台形の環（１）に挿入し、その後、ブランチ（２）を環上に固定する；その後、患者は、頭を後ろにそらせて、ボルスタを備えたブランチの下端（３）を下眼瞼上に置き、それによって、点眼器用フラスコ（５）と目との間の安全距離を確保する；その後、患者は、ブランチの上端（４）を押すことによって目を開き、その後、まばたきをすることなく、および薬剤をこぼすことなく、点眼を行うことができる。
【００１６】
請求されるデバイスは、複数のタイプの点眼剤の使用との適合性がある。
【００１７】
デバイスは、点眼器用フラスコと一緒のユニットとして設計され得る。デバイスの安全性および使いやすさに加えて、その様々な設計変更によって、その更なる製造を考慮することが可能となる。
【図１】
0003211479.tif 000003
(57)【要約】      （修正有）【課題】構造が簡単で、コストも安く、綺麗なペーパークラフトを作成できるクラフト用具であって、特に、和紙によって花を創る用具として好適なものを提供する。【解決手段】持ち手となる柄１１と、柄に取り付けられた針とを有し、針は、柄に取り付けられた基部１２１と、基部の先端となる先端部１２２を有しており、先端部１２２は、尖って所定の方向に反り返って形成されている。先端部が花弁の根本に係合して立体的に加工しやすくなり、全体として丸みを帯びたフワッとした生の花のような感じを出すことができる。【選択図】図１
0003211454.tif 000002
【実用新案登録請求の範囲】
【請求項１】
持ち手となる柄と、この柄に取り付けられた針とを有し、
上記針は、上記柄に取る付けられた基部と、
上記基部の先端となる先端部を有しており、
上記先端部は、尖って所定の方向に反り返って形成されている、
ことを特徴とするクラフト用具。
【請求項２】
上記基部は、円柱状に形成されており、
この基部にクラフトが巻き付けることで、成形できるように構成されている、
請求項１記載のクラフト用具。
【考案の詳細な説明】
【技術分野】
【０００１】
本考案は、紙を使ったクラフト製作を行うための用具であって、特に和紙を使った花などの製作に好適なものに関する。
【背景技術】
【０００２】
和紙などの紙を使って様々な物をつくるペーパークラフトが行われている。このペーパークラフトでは、紙を重ね合わせたり、折ったりなどして花や動物などを創ることが行われている。その際、紙を折り重ねた状態で、その形を整えたりするための用具として様々なものが提案されえている。
特許文献１には、奥まった位置にあって摺動部に直交する精密機械の部品を挟持したり、外科手術の際奥深く曲がった位置にある組織を挟持したり、工作等でボンドの接着の際、ピンセットと直交する箇所の作業が困難な場合にも、問題なく作業出来るスライド式ピンセットが開示されている。
【先行技術文献】
【特許文献】
【０００３】
【特許文献１】実用新案登録３２００８８４号公報
【考案の概要】
【考案が解決しようとする課題】
【０００４】
しかし、従来の用具では、構造が複雑となり、コストも高くなってしまうという問題があった。また、特許文献１記載のものは、奥深く曲がった位置にあるところを作業にはよいが、奥深くの曲がっていない箇所（まっすぐ奥の部分）などの作業などには適していなかった。
【０００５】
本考案は上記課題を解決するためになされたものであって、構造が簡単で、コストも安く、綺麗なペーパークラフトを作成できるクラフト用具であって、特に、和紙によって花を創る用具として好適なものを提供することを目的とする。
【課題を解決するための手段】
【０００６】
上記課題を解決するため、本考案の一観点にかかるクラフト用具は、持ち手となる柄と、この柄に取り付けられた針とを有し、上記針は、上記柄に取る付けられた基部と、上記基部の先端となる先端部を有しており、上記先端部は、尖って所定の方向に反り返って形成されている、ことを特徴とする。
【０００７】
上記基部は、円柱状に形成されており、この基部にクラフトが巻き付けることで、成形できるように構成されていてもよい。
【考案の効果】
【０００８】
本考案よれば、構造が簡単で、コストも安く、綺麗なペーパークラフトを作成できるクラフト用具を提供できる。特に、和紙を使って花などを創るために好適な用具を提供することができる。
【図面の簡単な説明】
【０００９】
【図１】本実施形態にかかるクラフト用具を使用している状態を示した斜視図。
【図２】本実施形態にかかるクラフト用具を示した要部側面図。
【図３】本実施形態にかかるクラフト用具を使用している別の状態を示した斜視図。
【考案を実施するための形態】
【００１０】
本考案かかる実施形態について図面を参照して説明する、
図１〜図３に本実施形態にかかるクラフト用具の例を示す。
クラフト用具１は、図２に示すように、柄１１とこの柄１１から延びだすように取り付けられた針１２を有している。
柄１１は、木又はプラスチックなどにより構成され、円柱形状をした持ち手となっている。
【００１１】
針１２は、絵１１から延びだした基部となる円柱部１２１と、円柱部といい体に形成された、その先端の先端部１２２を有している。
円柱部１２１は円柱状に形成されている。なお、基部となる円柱部１２１は、円柱状だけでなく断面多角形、楕円形などに形成してもよい。また中空状でもよい。
また、先端部１２２は、円柱部１２１より径が細い尖った形状をしている。そして、この先端部１２２の尖った先の部分は一方向に反った形状となっている。
なお、この針１２は鉄、アルミ、ステンレスなど適宜の金属で構成することができる。
【００１２】
次にこのクラフト用具１の使い方について、和紙により花を創る場合を例に図面を参照して説明する。
図１において、和紙を折り曲げて花弁の形にする。なお、この和紙はあらかじめ花弁のような形に成形しておく。
そして和紙を立てることにより花弁を作り、複数枚重ねることで、図１に示すような花冠のような形を形成する。
この状態では、単に和紙で作った花弁を立てただけで、全体としてはぶれた花冠のような見栄えになってしまう。
そのため、図１に示すように、針１２をその花弁の根本部分に差し込んで、尖った先端部１２２によって花弁の根元から起こすようにする。この際、先端部１２２は単に遅くとがっているだけでなく、反り返った形状をしていることから、その先端部１２２が花弁の根元に係合しやすくなる。これにより、花弁が根元から立体的になり、全体として丸みを帯びたフワッとした生の花のような感じを出すことができる。
【００１３】
さらに、図３に示すように花弁1枚1枚の上端部を針２の円柱部１２１に巻きつける。
これにより、花弁が外に向かって大きく大輪を描いて咲くような感じを出すことができる。
【００１４】
このように、本実施形態にかかるクラフト用具１によれば、簡単な構造で、制作物に立体感を与えてることができる。特に、和紙で花作る場合には、花全体を立体的に見せることができる。
なお、本実施例では、和紙による花を例にして説明したが、本考案はこれに限るものではなく、クラフト用具として花以外の製作にも使うことができる。
また、材料は和紙だけでなく、洋紙などでもよい。
【符号の説明】
【００１５】
１      クラフト用具
１１    柄
１２    針
１２１  円柱部
１２２  先端部
【図１】
0003211454.tif 000003
【図２】
0003211454.tif 000004
【図３】
0003211454.tif 000005
(57)【要約】      （修正有）【課題】一つのコートおよび衣服で二人が並んで着用でき、恋人同士、夫婦同士、家族同士など二人のカップルや親子など一緒に暖をとれる二人用のコートを提供する。【解決手段】一般的には通常の一人用コートが着丈：身幅が約１：０．８であるのに対して、本考案は約１：２．２以上の身幅をとることで、二人一緒に並んで着用することができるものである。二人一緒のコート内という考案は一緒に過ごす空間を作る。ボタン、チャックなどの離合部材で簡単に内側、外側から閉めて着ることが出来るようにしたことにより、二人の内側の状態を外部の他人に見せることが出来ないため、より親密な関係を構築することが出来る。【選択図】図１
0003211495.tif 000002
【実用新案登録請求の範囲】
【請求項１】
防寒コートなどで二人が並んだ状態で二人を包んで着用することが出来る大きさの衣服。マジックファスナーなど離合部材で簡単に内側、外側から閉めて切ることが出来るようにしたことを特徴とした、二人用のコートおよび衣服。
【考案の詳細な説明】
【技術分野】
【０００１】本考案は冬の屋外などのスポーツ観戦で恋人同士、夫婦同士、家族同士などと一緒に過ごす時に二人一緒で横並びに二人羽織のように密着して着ることが出来る観戦用コート。通常のコートの二倍の身幅を持つことで、二人が並んで観戦するときに一枚のコートで共有できることにある。
【先行技術文献】
【特許文献】
【０００２】
【特許文献１】実登３０６００５３
【考案の概要】
【考案が解決しようとする課題】
【０００３】本考案が解決しようとする課題は、二人が並んで観戦する場合に一人用のコートではいくら大きくても並んで着ることは出来ないことにある。また、本考案は一緒に膝掛けをかけて冬の屋外で観戦する時に、防寒の目的の他に一緒に過ごすことで一体感や幸福感を恋人同士、夫婦、家族などが精神的に安らぐ目的も生み出すものと同じ効果を目的とするものである。
【課題を解決するための手段】
【０００４】本考案は二人が並んで着ることが出来るように背中やフロントの幅が二人分の距離をもったコートでこの課題を解決することが出来る。
【考案の効果】
【０００５】通常の一人用コートは着丈：身幅がおおよそ１：０．８であるのに対し、当該コートは１：２．２の身幅のバランスで、二人同時にコートに入ることが出来る独自の広いバランスがあることである。
日本では人目を憚らずに抱き合うことは慣れておらず、見苦しいと言われる懸念もあった。  しかしながら近年では特に若い人同士では欧米のような親密な関係も不自然ではないと認識が一般的である。
【図面の簡単な説明】
【０００６】
【図１】二人用の為、通常のコートの身幅が２倍以上のコート。
【図１】
0003211495.tif 000003
【手続補正書】
【提出日】平成29年5月1日(2017.5.1)
【手続補正１】
【補正対象書類名】実用新案登録請求の範囲
【補正対象項目名】全文
【補正方法】変更
【補正の内容】
【実用新案登録請求の範囲】
【請求項１】
コートで二人が並んだ状態で二人を包んで着用することが出来る大きさであり、離合部材で簡単に内側、外側から閉めて着ることが出来るようにしたことを特徴とした、二人用のコート。
(57)【要約】      （修正有）【課題】スムーズに靴を履けるようにした靴ベラ付きスニーカーを提供する。【解決手段】靴の踵部の内周面に取り付けた厚手の布で形成された靴ベラと、靴ベラ及び靴の踵の外面に貼り付けられた面ファスナーとを備えた靴ベラ付きスニーカーであって、靴を履いている時は、靴ベラは面ファスナーで靴の踵の外面に貼り付けられており、靴を履く時は、面ファスナーを剥がして靴ベラとして使用する。【選択図】図３
0003211493.tif 000002
【実用新案登録請求の範囲】
【請求項１】
常時、靴の踵部の内周面に取り付けて使用される靴ベラで、靴を履いている時はマジックテープで靴の踵の外面に貼り付けられており、
靴を履く時にマジックテープを剥がして靴ベラとして使用する
くつべら付きスニーカーを特徴とする。
【請求項２】
取り付けられた靴ベラは厚手の布（ジーンズやベルト）等で形成され、
使用後に収納するため貼り付けるマジックテープで構成される。
【考案の詳細な説明】
【技術分野】
【０００１】本考案は、スニーカーなどの靴を頻繁に脱いだり履いたりする場合、靴のかかとが踏みつぶされたり完全に履かない状態で駈けだすけだすと躓き転倒する恐れがある。
そこで靴ベラを靴に取り付けてスムースに靴が履けるようにした靴ベラ付きのスニーカー（クツベラーズ）に関するものである。
【背景技術】
【０００２】スニーカーなど靴を履く場合、靴の先端を打ち付けたり指などを靴ベラのかわりに差し込んで無理やり履いたりしているが長期間履いていると踵の部分が踏みつぶされますます履き辛くなる。【０００３】このような場合、靴ベラがあればスムースに履けるのであるが常時、靴ベラを持ち歩く訳にもいかず靴に靴ベラの代わりになる物を常時取り付けられたらと試作したのが靴ベラ付きスニーカーである。
【先行技術文献】
【０００４】靴ベラ自体の改良案件は数件あるが、靴ベラと靴とを合体させた案件は特許文献、非特許文献にも見当たらない。
【特許文献】
【非特許文献】
【考案の概要】
【０００５】靴ベラをスニーカー本体に装着するためスニーカーの踵の内側にジーンズなどの厚手の靴ベラ状の布を貼り付けたもので履き終えた後には折り返した布をマジックテープで張り付け外見上も違和感のないように仕上っている。
【考案が解決しようとする課題】
【０００６】靴を履く時、従来の靴ベラを使わずにスムーズに履くことが出来るようにする。
【考案の効果】
【０００７】誰でも、どこでも、短時間に靴の踵を踏まずに靴を履くことができる。
【図面の簡単な説明】
【０００８】
【図１】本考案の靴ベラをスニーカーに取り付けたところの斜視図である。
【図２】本考案の靴ベラをスニーカーに取り付けた背面側の斜視図である。
【図３】スニーカーに取り付けた靴ベラを使用位置に開いた背面側の斜視図である。
【図４】試作品の外観である
【図５】試作品を使って靴を履く手順の写真である
【考案を実施するための形態】
【０００９】本案は実際に実施出来るか、試作品を製作し使用状態を確認した
その結果、十分に実用可能であることを実証出来た。
【産業上の利用可能性】
【００１０】本考案は、スニーカーなどの靴を製造する産業で利用される
【図１】
0003211493.tif 000003
【図２】
0003211493.tif 000004
【図３】
0003211493.tif 000005
【図４】
0003211493.tif 000006
【図５】
0003211493.tif 000007
【手続補正書】
【提出日】平成29年5月10日(2017.5.10)
【手続補正１】
【補正対象書類名】実用新案登録請求の範囲
【補正対象項目名】全文
【補正方法】変更
【補正の内容】
【実用新案登録請求の範囲】
【請求項１】
靴の踵部の内周面に取り付けた靴ベラと、、
前記靴ベラ及び靴の踵の外面に貼り付けられた面ファスナーとを備えた靴ベラ付きスニーカーであって、
靴を履いている時は、前記靴ベラは前記面ファスナーで靴の踵の外面に貼り付けられており、
靴を履く時は、前記面ファスナーを剥がして靴ベラとして使用することを特徴とする靴ベラ付きスニーカー。
【請求項２】
前記靴ベラは厚手の布で形成されたことを特徴とする請求項１に記載の靴ベラ付きスニーカー。
(57)【要約】      （修正有）【課題】テレビを見ながら移動せず、鏡を使用できるテレビを提供する。【解決手段】テレビの液晶画面に透過性の特殊ミラ−素子を使用し、鏡切り替えボタン４の操作によりテレビの番組画面２を半分の面積の使用にし、残り半分の面積から番組画面を消したとき前記残り画面が鏡画面３になるようにする。【選択図】図１
0003211491.tif 000002
【実用新案登録請求の範囲】
【請求項１】
テレビの画面の一部または全部を鏡に切り替えられるようにすることを特徴とする、画面が鏡に切り替わるテレビ。
【考案の詳細な説明】
【技術分野】
【０００１】本考案は、テレビの画面の一部もしくは全部を鏡に切り替えられるテレビに関するものである。
【背景技術】
【０００２】テレビは茶の間、居間、食堂などに置かれ番組を見るためのみに広く使われ、鏡は脱衣場寝室等に置かれ顔や自分の姿を映して見るために使われており、この２つは別々の用途で広く利用されている。
【考案の概要】
【考案が解決しようとする課題】
【０００３】忙しい女性が朝化粧をするために、テレビの部屋から鏡のある部屋に移動しなければならず、時間的に非効率的であった。また、男性も忙しい朝に髭をそるために鏡のある部屋に移動しなければならず効率的ではなかった。忙しい朝にテレビで情報を得つつ時間的に効率よく身仕度をする装置を提供する。
【課題を解決するための手段】
【０００４】本考案は、テレビの画面の一部または全部を鏡に切り替えられるようにする。
【考案の効果】
【０００５】朝の忙しい時に化粧の時間が取れず、電車内で化粧をしたり、男性も車を運転しながら髭をそっているような状態であるので、画面が鏡に切り替わるテレビの導入によって移動時間を無くし、朝の身仕度の時間を短縮しながら楽しくできるようにできる。【０００６】洋服のコ−ディネイト等も、テレビの一部を見ながら他に移動せずできる。【０００７】仕事から帰って化粧落としの時も、テレビを見ながら、のんびりとできる。【０００８】狭い住宅事情においても、鏡とテレビを合体させることで、テレビを置くスペ−スだけで鏡を設置できスペ−スの節約となる。
【図面の簡単な説明】
【０００９】
【図１】テレビの画面半分を鏡に切り替えた図
【考案を実施するための形態】
【００１０】テレビの液晶画面に透過性の特殊ミラ−素子を使用し、番組画面を切り替えると画面が鏡になる。テレビの操作部に鏡切り替えボタンを搭載する。
【実施例】
【００１１】以下添付図に従って、一実施例を説明する。［図１］の２は、テレビの番組画面であり、３は鏡部分である。この切り替えは、４の切り替えボタンを押すことで、全画面がテレビ番組、片側の画面がテレビ番組でもう片側が鏡画面、全画面が鏡画面等に切り替わる。
【符号の説明】
【００１２】１画面が鏡に切り替わるテレビ全体図
２テレビ番組画面
３鏡画面
４切り替えボタン
【図１】
0003211491.tif 000003
【手続補正書】
【提出日】平成29年4月20日(2017.4.20)
【手続補正１】
【補正対象書類名】実用新案登録請求の範囲
【補正対象項目名】全文
【補正方法】変更
【補正の内容】
【実用新案登録請求の範囲】
【請求項１】
液晶画面に透過性の特殊ミラー素子を使用し、鏡切り替えボタンの操作によりテレビの画面の一部または全部を鏡に切り替えられるようにすることを特徴とする、画面が鏡に切り替わるテレビ。
(57)【要約】      （修正有）【課題】測定の効果の理解を啓発するための教材としての学習器を提供する。【解決の手段】識別記号３を付けた１０個１組の四角柱１で構成しており、１０個四角柱１の片側は平面であり、反対側の面には高さのばらついた突起物を四角柱１の４隅に設け。１０個の四角柱１を任意の順番で高さ方向に積み上げた場合と、底面と突起のとの間の寸法を測定し、測定値のばらつきの小さい順番に四角柱１を積み上げた場合では、無作為に積み上げた場合よりも四角柱１を多く積み上げることができることで、測定の効果の理解に役立つ。【選択図】図１
0003211498.tif 000002
【実用新案登録請求の範囲】
【請求項１】
１０個の四角柱からなる１組の測定目的を理解するための学習器であって、前記四角柱の上面の４隅に縦、横、各８ｍｍ、高さが少なくとも２カ所が異なる突起物を有し、前記四角柱にはそれぞれ異なる識別符号が表示され、前記突起物にはそれぞれ異なる識別記号が表示されていることを特徴とする測定目的を理解するための学習器。
【考案の詳細な説明】
【技術分野】
【０００１】本考案は、測定の目的を啓発するために使用する教材に関する。
【背景技術】
【０００２】  紀元前に建設されたピラミッドは、キューピット尺といわれる物差しを使って約２３０万個の石を測定し、積み上げて建設されて現在も雄姿をあらわしている。今後の自動車の自動運転やＭＲＪ（国産飛行機）の製造でも、ピラミッド同様に多くの測定が必要であるから測定を効果的に実施する啓発が必要な状況がある。
【考案の概要】
【考案が解決しようとする課題】
【０００３】  ところが、測定講習会で測定の効果を教える教材が少ない欠点がある。この欠点を解消するための教材が望まれているが、適切なものがなかった。
【課題を解決するための手段】
【０００４】  本考案は上記課題を解決するためになされたもので、請求項１に記載の測定目的を理解するための学習器は１０個の四角柱からなる１組の測定目的を理解するための学習器であって、前記四角柱の上面の４隅に縦、横、各８ｍｍ、高さが本考案を実施するための形態に示す表１突起部の高さ表の突起物を有し、前記四角柱にはそれぞれ異なる識別符号が表示され、前記突起物にはそれぞれ異なる識別記号が表示されていることを特徴とする測定目的を理解するための学習器。
【考案の効果】
【０００５】  測定データを利用すると測定データを利用しない場合よりも楽しく四角柱を多く積み上げることできて、測定の効果を啓発することに役立つ。
【図面の簡単な説明】
【０００６】
【図１】本考案の四角柱を表す図
【図２】本考案の四角柱の測定法を表す図
【図３】本考案の四角柱を積み上げた状態を表す図
【考案を実施するための形態】
【０００７】  識別記号（Ａ，Ｂ，Ｃ．．Ｊ）を有する１０個の四角柱で構成し、前記四角柱ば、縦３５ｍｍ、横５０ｍｍ、高さ７０ｍｍであり、各四角柱の片側に４隅の位置に縦、横、各８ｍｍ、高さ表１の大きさの突起物あり、前記四角柱の識別記号を揃える向きで無作為の順番に高さ方向に積みあげた場合と、前記１０個の四角柱の４隅の突起物と底面間の寸法を測定し、前記４隅のデータのばらつきを求め、ばらつきの小さい四角柱から順番に前記同様に積み上げると、前記無作為の順番に積み上げる場合よりも多く積み上げることができて、測定の効果を教える学習器が実現する。
【０００８】
【表１】
0003211498.tif 000003
【符号の説明】
【０００９】  １  四角柱    ２  突起部    ３  四角柱の識別符号    ４  突起物の識別記号
【図１】
0003211498.tif 000004
【図２】
0003211498.tif 000005
【図３】
0003211498.tif 000006
(57)【要約】      （修正有）【課題】屏風の色彩の異なる表と裏を簡単に変えることが出来き、随時写真又は絵画を入れ替え、屏風本体色又は色彩を変える事ができる両面屏風を提供する。【解決手段】屏風一枚ごと及び表側裏側にマグネッツト３を取り付け、その両面に色彩の異なる生地４又は紙を張り、背景色及び色彩の異なる屏風とし、屏風一枚ごとの接続は、屏風の側面にもマグネット８でつなげ、写真７、絵画、文字又は家系図等をパネルボード６に取り付け、パネルボード６一枚又は数枚を屏風一枚ごとの表面に、取り付け取り外しが出来る様にパネルボード６側には金属板５を取り付け、随時屏風の表裏、パネルの交換を簡単に出来る様にする。【選択図】図１
0003211496.tif 000002
【実用新案登録請求の範囲】
【請求項１】
屏風の両面（表側と裏側）に色彩及び模様の異なる生地又は紙を屏風全体に貼り、表側又は裏側のどちらか一方に、写真パネル、絵画パネル、習字パネル、文字パネル又は家系図パネルなどの好みのパネルを屏風面に取り付ける事の出来る両面屏風型で、壁の面に取り付ける飾り屏風で、屏風一枚ごと独立して、一枚ごとの接続は、屏風の側面に取り付けたマグネッツトで接続して屏風の形にし、お祭り又は記念日ごとに屏風の表面と裏面をひっくり返して使う両面屏風型で、屏風本体の表面と裏面にマグネッツトを取り付け、パネルボード側にはマグネッツトにくっつく金属板を取り付け、パルボード一枚又は数枚を屏風一枚ごとに取り付けるパネルボード付き飾り両面屏風。
【考案の詳細な説明】
【技術分野】
【０００１】本考案は、屏風面の表側と裏側に色彩の異なる生地又は紙を張り付け、表と裏をひっくり返し、色彩の異なる屏風面とし、その面上に写真、絵画、習字、文字又は家系図のパネルボードを取り付け、パネルボード面と屏風に磁石又はマジックテープを取り付け、パネルボードの交換が容易な屏風にし、屏風の一枚と一枚の接続する側面にマグネッツトを取り付け、一枚ごとの屏風で、表裏を簡単に入れ替える事ができる、壁に掛ける飾り両面屏風である。
【背景技術】
【０００２】一般的な屏風は、床の上に置き使用されますが、本体の屏風は壁に掛け、屏風の表裏の両面を利用する。
【考案の概要】
【０００３】屏風を一面、一面の切り離れた面にし、その表面、裏面を色彩の違う面にし、写真又は絵画付きパネルボードを取り付け、随時交換できるようにする。
【考案が解決しようとする課題】
【０００４】屏風一面、一面の接続をマグネットでつなげ、屏風の両面を使用し、表裏の色彩の異なる面にし、写真又は絵画をパネルボードに貼り付け、パネルボードの裏面に金属板又はマジックテープを取り付け、屏風本体の表面側にマグネット又はマジックテープを取り付け、随時パネルボードの取り換えを可能にする。
【課題を解決する為の手段】
【０００５】屏風の側面にマグネッツトを取り付け、随時表面と裏面を変える様にする。
【考案の効果】
【０００６】本考案の効果は、撮って来た写真又は描いた絵画をパネルボードに張り、それを屏風側に取り付け、パネルボードが屏風本体色に合う様な色彩の面にする。
【考案を実施するための形態】
【０００７】屏風一枚、一枚切り離した状態に製作して、両面に色彩の異なる面にし、写真又は絵画付きパネルボードにして、パネルボードの裏側にマグネットにくっ付く金属板又はマジックテープを取り付け、屏風本体の表面にマグネット又はマジックテープを取り付け、写真又は絵画付きパネルボード屏風にする。
【実施例】
【０００８】以下、添付図面に従って実施例を説明する。  図面１は、両面屏風一枚の全体図で、図面２は、表面四枚接続図と側面の詳細図で、図面３は、裏面四枚接続図と屏風一枚毎の接続の側面図、屏風四枚をマグネッツトで接続して屏風を構成し、本体の表側と裏側にマグネッツトを取り付けその上に色彩の異なる生地又は紙を張り、パネルボード側には金属板を裏側に取り付け、写真又は絵画付きのパネルボードを随時交換が出来きる屏風の表面と裏面利用できる飾り屏風。
【図面の簡単な説明】
【０００９】
【図１】両面屏風一枚の詳細図
【図２】表面の屏風全体図と側面全体図
【図３】裏面の屏風全体図と側面図
【符号の説明】
【００１０】      １    屏風枠
２    本体ボード
３    マグネット（表面用）
４    屏風面の生地
５    金属板
６    パネルボード
７    写真
８    マグネット（側面用）
【図１】
0003211496.tif 000003
【図２】
0003211496.tif 000004
【図３】
0003211496.tif 000005